(57)【特許請求の範囲】
【請求項１】
入賞口等が設けられる遊技盤と、
遊技球を滑走させる案内面を内側にして前記遊技盤に弧状に取り付けられ、発射装置により発射された遊技球を前記案内面の下端部付近の着地部で受けて前記案内面を滑走させることにより該発射された遊技球を前記入賞口等が設けられている遊技領域に案内するガイドレールとを備える弾球遊技機において、
回動操作される摘（９２）と、
ほぼ中央に立設された筒状の中心軸（５６）と、それぞれが中心軸（５６）から離れて立設された第１のビス受軸（５８）及び第２のビス受軸（６０）とを備えて前記遊技盤に固定された固定板（５２）と、
ギヤ面（１０８）を前記固定板（５２）に対面させて、前記２つのビス受軸（５８、６０）にビス止めされたカバー（１０６）と、
下部に設けられた偏心カム（１００）を前記中心軸（５６）側にし、フランジ部（１０２）に設けられた放射状の突起によるギヤ面（１０４）を前記カバー（１０６）のギヤ面（１０８）に対面させて、前記固定板（５２）と前記カバー（１０６）との間に配され、前記カバー（１０６）を貫通する軸（９６）にて前記摘（９２）と連結されて該摘（９２）と共回りする回動部材（９０）と、
前記中心軸（５６）の内部に挿通され、前記回動部材（９０）を前記カバー（１０６）に向けて付勢して、前記回動部材（９０）のギヤ面（１０４）と前記カバー（１０６）のギヤ面（１０８）との歯合を保持する圧縮コイルばね（８８）と、
軸受部（６６）が前記第１のビス受軸（５８）に外嵌されていて該第１のビス受軸（５８）を軸として揺動可能であり、カム受け面（６２）となっている内周を前記偏心カム（１００）に接触させている揺動部材（６４）と、
前記中心軸（５６）に遊嵌し、一方の端（８０）は前記揺動部材（６４）のばね穴（８２）に差し込まれ、他方の端（８４）は前記固定板（５２）のばね穴（８６）に差し込まれて、その弾発力により、前記揺動部材（６４）のカム受け面（６２）を常時前記偏心カム（１００）に接触させる捻ればね（７８）と、
前記揺動部材（６４）の軸受部（６６）とは反対側の端に設けられた挟持部（６８）に基端部（７２）が挿入されてビス（７４）にて連結され、先端部（７６）はガイドレールに係合しているレバー（７０）と
を備え、
前記摘（９２）が回動操作されると、前記回動部材（９０）の偏心カム（１００）が前記揺動部材（６４）のカム受け面（６２）を押圧して前記揺動部材（６４）を揺動させ、該揺動に伴って前記レバー（７０）を往復移動させることにより、少なくとも前記着地部における前記案内面と前記遊技盤の表面との角度を調節する角度調節器（５０）
を備えたことを特徴とする弾球遊技機。
【請求項２】
入賞口等が設けられる遊技盤と、
遊技球を滑走させる案内面を内側にして前記遊技盤に弧状に取り付けられ、発射装置により発射された遊技球を前記案内面の下端部付近の着地部で受けて前記案内面を滑走させることにより該発射された遊技球を前記入賞口等が設けられている遊技領域に案内するガイドレールとを備える弾球遊技機において、
回動操作される摘（９２）と、
ほぼ中央に立設された筒状の中心軸（５６）と、それぞれが中心軸（５６）から離れて立設された第１のビス受軸（５８）及び第２のビス受軸（６０）とを備えて前記遊技盤に固定された固定板（５２）と、
ギヤ面（１０８）を前記固定板（５２）に対面させて、前記２つのビス受軸（５８、６０）にビス止めされたカバー（１０６）と、
下部に設けられた偏心カム（１００）を前記中心軸（５６）側にし、フランジ部（１０２）に設けられた放射状の突起によるギヤ面（１０４）を前記カバー（１０６）のギヤ面（１０８）に対面させて、前記固定板（５２）と前記カバー（１０６）との間に配され、前記カバー（１０６）を貫通する軸（９６）にて前記摘（９２）と連結されて該摘（９２）と共回りする回動部材（９０）と、
前記中心軸（５６）の内部に挿通され、前記回動部材（９０）を前記カバー（１０６）に向けて付勢して、前記回動部材（９０）のギヤ面（１０４）と前記カバー（１０６）のギヤ面（１０８）との歯合を保持する圧縮コイルばね（８８）と、
軸受部（６６）が前記第１のビス受軸（５８）に外嵌されていて該第１のビス受軸（５８）を軸として揺動可能であり、カム受け面（６２）となっている内周を前記偏心カム（１００）に接触させている揺動部材（６４）と、
前記中心軸（５６）に遊嵌し、一方の端（８０）は前記揺動部材（６４）のばね穴（８２）に差し込まれ、他方の端（８４）は前記固定板（５２）のばね穴（８６）に差し込まれて、その弾発力により、前記揺動部材（６４）のカム受け面（６２）を常時前記偏心カム（１００）に接触させる捻ればね（７８）と、
前記揺動部材（６４）の軸受部（６６）とは反対側の端に設けられた挟持部（６８）に基端部（７２）が挿入されてビス（７４）にて連結され、先端の押し面（１５４）を前記ガイドレールに接触させた押部材（１５２）と
を備え、
前記摘（９２）が回動操作されると、前記回動部材（９０）の偏心カム（１００）が前記揺動部材（６４）のカム受け面（６２）を押圧して前記揺動部材（６４）を揺動させ、該揺動に伴って前記押部材（１５２）を往復移動させることにより、少なくとも前記着地部における前記案内面と前記遊技盤の表面との角度を調節する角度調節器（１５０）
を備えたことを特徴とする弾球遊技機。
【発明の詳細な説明】
【０００１】
【発明の属する技術分野】
本発明は、例えばパチンコ機やアレンジボール式パチンコ機等の弾球遊技機に関する。
【０００２】
【従来の技術】
パチンコ機やアレンジボール式パチンコ機等の弾球遊技機は、発射装置により発射された遊技球が遊技盤上の遊技領域に配された入賞口等に入球して入賞や得点等が成立すると、賞球としての遊技球が払出された。なお、賞球の払出に代えて球数や点数等を記録したカード等を交付するものも提案されている。
【０００３】
普通、弾球遊技機には、遊技球の発射に関わる機構として、遊技球を打撃する発射装置、打撃された遊技球を斜め上方に向けてほぼ直線状に誘導する発射レール、発射レールから離脱した遊技球を遊技領域に誘導するガイドレールが備えられている。なお、発射レールとガイドレールとの間にはファール球回収用の通路が設けられていて、両レールは連続していない。
【０００４】
従来、遊技球の発射および発射された遊技球の道筋を安定させるには、発射装置により遊技球の芯を正確に打撃すること、打撃された遊技球を発射レールによって正確に導くことが重要視され、この二点が良好に調整されれば、発射後の遊技球の経路は安定したものとなって、遊技盤上の狙った場所に撃ち込めるといわれていた。
【０００５】
【発明が解決しようとする課題】
ところで、ガイドレールは遊技盤に釘等で取り付けられていて、その取り付け時の歪みな等が残っていたにも関わらず、ガイドレールに何らかの調整処理を施すことはなかった。これは、上述のように、発射装置および発射レールの調整が良好なら発射された遊技球（発射球）の経路は安定すると考えられていたためであった。
【０００６】
しかし、発明者は、発射球の経路を安定させるには、発射装置および発射レールの調整だけでは不十分であり、ガイドレールの調整もきわめて重要であることを見いだして本発明を完成させるに至った。
本発明の目的は、弾球遊技機において発射後の遊技球の経路をさらに安定させることを目的としている。
【０００７】
なお、この発射球の経路を安定させることは、遊技球を遊技盤上の狙った場所に撃ち込むために重要であるが、発射球の経路が安定すると発射球とガラス板との衝突、接触が回避され騒音を格段に低減することもできる。この騒音の低減は本発明のもう一つの目的でもある。
【０００８】
【課題を解決するための手段および発明の効果】
上記課題を解決するための請求項１記載の弾球遊技機は、入賞口等が設けられる遊技盤と、遊技球を滑走させる案内面を内側にして前記遊技盤に弧状に取り付けられ、発射装置により発射された遊技球を前記案内面の下端部付近の着地部で受けて前記案内面を滑走させることにより該発射された遊技球を前記入賞口等が設けられている遊技領域に案内するガイドレールとを備える弾球遊技機において、
回動操作される摘（９２）と、
ほぼ中央に立設された筒状の中心軸（５６）と、それぞれが中心軸（５６）から離れて立設された第１のビス受軸（５８）及び第２のビス受軸（６０）とを備えて前記遊技盤に固定された固定板（５２）と、
ギヤ面（１０８）を前記固定板（５２）に対面させて、前記２つのビス受軸（５８、６０）にビス止めされたカバー（１０６）と、
下部に設けられた偏心カム（１００）を前記中心軸（５６）側にし、フランジ部（１０２）に設けられた放射状の突起によるギヤ面（１０４）を前記カバー（１０６）のギヤ面（１０８）に対面させて、前記固定板（５２）と前記カバー（１０６）との間に配され、前記カバー（１０６）を貫通する軸（９６）にて前記摘（９２）と連結されて該摘（９２）と共回りする回動部材（９０）と、
前記中心軸（５６）の内部に挿通され、前記回動部材（９０）を前記カバー（１０６）に向けて付勢して、前記回動部材（９０）のギヤ面（１０４）と前記カバー（１０６）のギヤ面（１０８）との歯合を保持する圧縮コイルばね（８８）と、
軸受部（６６）が前記第１のビス受軸（５８）に外嵌されていて該第１のビス受軸（５８）を軸として揺動可能であり、カム受け面（６２）となっている内周を前記偏心カム（１００）に接触させている揺動部材（６４）と、
前記中心軸（５６）に遊嵌し、一方の端（８０）は前記揺動部材（６４）のばね穴（８２）に差し込まれ、他方の端（８４）は前記固定板（５２）のばね穴（８６）に差し込まれて、その弾発力により、前記揺動部材（６４）のカム受け面（６２）を常時前記偏心カム（１００）に接触させる捻ればね（７８）と、
前記揺動部材（６４）の軸受部（６６）とは反対側の端に設けられた挟持部（６８）に基端部（７２）が挿入されてビス（７４）にて連結され、先端部（７６）はガイドレールに係合しているレバー（７０）と
を備え、
前記摘（９２）が回動操作されると、前記回動部材（９０）の偏心カム（１００）が前記揺動部材（６４）のカム受け面（６２）を押圧して前記揺動部材（６４）を揺動させ、該揺動に伴って前記レバー（７０）を往復移動させることにより、少なくとも前記着地部における前記案内面と前記遊技盤の表面との角度を調節する角度調節器（５０）
を備えたことを特徴とする。
【０００９】
この弾球遊技機では、角度調節器（５０）により、ガイドレールの案内面と遊技盤の表面との角度を鋭角にすることができる。この角度が鋭角になると、発射球は案内面と遊技盤の表面とで形成される隅に沿って移動し、遊技盤の表面から離れない。この結果、発射球の経路は安定し、遊技者としては、遊技球を遊技盤上の狙った場所に正確に撃ち込むことが可能になる。
【００１０】
また、発射球が遊技盤の表面から離れないから、発射球がガラス板と衝突、接触して騒音を発生することもない。よって、弾球遊技機の騒音が低減される。
この角度の調節は、ガイドレールの全域にわたって実行すれば最善であるが、発射装置により発射され、発射レールから離脱した遊技球が着地する部分、すなわち案内面の下端部付近の着地部において実行するだけでも上述の効果を十分に得ることができる。
【００１１】
請求項２記載の弾球遊技機は、
入賞口等が設けられる遊技盤と、
遊技球を滑走させる案内面を内側にして前記遊技盤に弧状に取り付けられ、発射装置により発射された遊技球を前記案内面の下端部付近の着地部で受けて前記案内面を滑走させることにより該発射された遊技球を前記入賞口等が設けられている遊技領域に案内するガイドレールとを備える弾球遊技機において、
回動操作される摘（９２）と、
ほぼ中央に立設された筒状の中心軸（５６）と、それぞれが中心軸（５６）から離れて立設された第１のビス受軸（５８）及び第２のビス受軸（６０）とを備えて前記遊技盤に固定された固定板（５２）と、
ギヤ面（１０８）を前記固定板（５２）に対面させて、前記２つのビス受軸（５８、６０）にビス止めされたカバー（１０６）と、
下部に設けられた偏心カム（１００）を前記中心軸（５６）側にし、フランジ部（１０２）に設けられた放射状の突起によるギヤ面（１０４）を前記カバー（１０６）のギヤ面（１０８）に対面させて、前記固定板（５２）と前記カバー（１０６）との間に配され、前記カバー（１０６）を貫通する軸（９６）にて前記摘（９２）と連結されて該摘（９２）と共回りする回動部材（９０）と、
前記中心軸（５６）の内部に挿通され、前記回動部材（９０）を前記カバー（１０６）に向けて付勢して、前記回動部材（９０）のギヤ面（１０４）と前記カバー（１０６）のギヤ面（１０８）との歯合を保持する圧縮コイルばね（８８）と、
軸受部（６６）が前記第１のビス受軸（５８）に外嵌されていて該第１のビス受軸（５８）を軸として揺動可能であり、カム受け面（６２）となっている内周を前記偏心カム（１００）に接触させている揺動部材（６４）と、
前記中心軸（５６）に遊嵌し、一方の端（８０）は前記揺動部材（６４）のばね穴（８２）に差し込まれ、他方の端（８４）は前記固定板（５２）のばね穴（８６）に差し込まれて、その弾発力により、前記揺動部材（６４）のカム受け面（６２）を常時前記偏心カム（１００）に接触させる捻ればね（７８）と、
前記揺動部材（６４）の軸受部（６６）とは反対側の端に設けられた挟持部（６８）に基端部（７２）が挿入されてビス（７４）にて連結され、先端の押し面（１５４）を前記ガイドレールに接触させた押部材（１５２）と
を備え、
前記摘（９２）が回動操作されると、前記回動部材（９０）の偏心カム（１００）が前記揺動部材（６４）のカム受け面（６２）を押圧して前記揺動部材（６４）を揺動させ、該揺動に伴って前記押部材（１５２）を往復移動させることにより、少なくとも前記着地部における前記案内面と前記遊技盤の表面との角度を調節する角度調節器（１５０）
を備えたことを特徴とする。
【００１２】
この弾球遊技機も、請求項１記載の弾球遊技機と同様に、角度調節器（１５０）により、ガイドレールの案内面と遊技盤の表面との角度を鋭角にすることができる。この角度が鋭角になると、発射球は案内面と遊技盤の表面とで形成される隅に沿って移動し、遊技盤の表面から離れない。この結果、発射球の経路は安定し、遊技者としては、遊技球を遊技盤上の狙った場所に正確に撃ち込むことが可能になる。
【００１３】
請求項１、２記載の弾球遊技機では、回動部材（９０）のフランジ部（１０２）に設けられたギヤ面（１０４）とカバー（１０６）の裏面に設けられたギヤ面（１０８）とが歯合していて、この歯合は圧縮コイルばね（８８）の付勢力により保持されているが、ある程度以上の力を摘（９２）に及ぼせば、回動部材（９０）を回動させて、ギヤ面（１０４）とギヤ面（１０８）との歯合位置をギヤ面（１０４）の突起の１ピッチ単位でカチッ、カチッと変化させることができる。
【００１４】
【発明の実施の形態】
次に、本発明の実施例を図面を参照して説明することにより、発明の実施の形態を具体的に説明する。
【００１５】
【実施例１】
図１は、本実施例の弾球遊技機としてのアレンジボール遊技機１２の斜視図である。ただし、説明の都合上、一部の部材を撤去した状態で図示している。
このアレンジボール遊技機１２は、木製の外枠１４および前面枠１６からなる箱状の外殻を持ち、その内部に遊技盤１８や遊技球発射装置２０等の各種の構造を内蔵している。また、前面枠１６の下部には、受け皿２２や発射装置を操作するためのハンドル２４等が取り付けられる。
【００１６】
遊技盤１８には、周知の１６連チャッカーを取り付けるための長穴２６や入賞装置の取り付けによって入球口となる各種の穴２８等が設けられている。
図１および図２に示すように、遊技盤１８の外周に沿って弧状のガイドレール３０およびインナレール３２が取り付けられている。これらガイドレール３０およびインナレール３２によって囲まれるほぼ円形の領域が遊技領域３３となっている。ガイドレール３０の下端の延長線に沿って発射レール３４が設置され、ガイドレール３０の下端と発射レール３４との間には、ファール球回収用の通路３５が形成されている。また通路３５の下方にはファール球回収口３７が開口している。
【００１７】
図１に示すように、発射レール３４の後端部の上方には球受３６が配されており、発射レール３４上の遊技球が後端部から落下するのを防止する。発射レール３４と球受３６との間には、遊技球発射装置２０の打球槌３８の先端に装着されている打球ばね４０が進入可能な空隙が確保されており、打球槌３８が前進位置にあるときには、図示のように打球ばね４０がこの空隙に進入している。そして、遊技球発射装置２０の打球槌３８を後退させてから前進させることにより発射レール３８上の遊技球を打撃すると、その遊技球は通路３５上を飛び越えてガイドレール３０上に着地し、ガイドレール３０の案内面４２に沿って滑走して、遊技領域３３に飛び込むことになる。
【００１８】
図１および図２に示すように、発射レール３８を離脱した遊技球がガイドレール３０上に着地する部分が着地部４４である。なお、発射レール３８を離脱してガイドレール３０に着地する遊技球の着地点にはある程度のばらつきがあるので、着地部４４は特定の一点ではなく、遊技球の着地が想定される領域である。そして、この着地部４４の背面側（弧状のガイドレール３０の外側）には、レール角度調節手段としての角度調節器５０が設置されている。詳しくは、図２に示すように、角度調節器５０は、その底部を構成する固定板５２を木ねじ５４によって遊技盤１８に固定されて、取り付けられている。
【００１９】
図３および図４に示すように、固定板５２のほぼ中央には、筒状の中心軸５６が設けられており、この中心軸５６を挟む位置に一対のビス受軸５８、６０が設けられている。ビス受軸５８には、内周がカム受け面６２となっている揺動部材６４の軸受部６６が外嵌されており、揺動部材６４はビス受軸５８を軸として揺動可能である。また、揺動部材６４の軸受部６６とは反対側の端には挟持部６８が設けられている。この挟持部６８には、レバー７０の基端部７２が挿入されており、ビス７４にて挟持部６８と基端部７２とが連結されている。そして、図２および図４に示すように、レバー７０の先端部７６は、ガイドレール３０に係合している。
【００２０】
一方、図４に示すように、中心軸５６には捻ればね７８が遊嵌しており、捻ればね７８の一方の端８０は揺動部材６４のばね穴８２に差し込まれ、他方の端８４は固定板５２のばね穴８６に差し込まれている。また、中心軸５６の内部には圧縮コイルばね８８が挿通され、圧縮コイルばね８８の上端は、回動部材９０と摘９２とを連結するビス９４に当接している。
【００２１】
図３に示すように、回動部材９０の軸９６は一対の平行面９８を備えており、図示は省略するが摘９２の内孔は、この回動部材９０の軸９６に整合する形状となっており、回動部材９０と摘９２とは相対回転しない。また、回動部材９０の下部は偏心カム１００となっており、摘９２を介して回動部材９０を回動させると、偏心カム１００が揺動部材６４のカム受け面６２を押圧して揺動部材６４を揺動させることができる。そして、その揺動に伴って、レバー７０を図４に矢印Ｘ、Ｙで示すように、往復移動させることができる。なお、捻ればね７８の弾発力により、揺動部材６４のカム受け面６２は、常時偏心カム１００に接触させられている。
【００２２】
さらに、回動部材９０のフランジ部１０２には放射状の突起によるギヤ面１０４が設けられている。このギヤ面１０４は、揺動部材６４、捻ればね７８、圧縮コイルばね８８、回動部材９０等をカバーするために、ビス受軸５８、６０にビス止めされているカバー１０６の裏面に設けられているギヤ面１０８に歯合している。この歯合は圧縮コイルばね８８の付勢力により保持されているが、ある程度以上の力を摘９２に及ぼせば、回動部材９０を回動させて、ギヤ面１０４とギヤ面１０８との歯合位置を突起の１ピッチ単位でカチッ、カチッと変化させることができる。
【００２３】
以上が角度調節器５０の構造である。この角度調節器５０にてガイドレール３０と遊技盤１８の表面との間の角度（図４にＡで示す）を変化させるには、摘９２を持ってこれを右回りあるいは左回りに回す。右に回せば回動部材９０の右回転により揺動部材６４が矢印Ｘ方向に前進移動し、ガイドレール３０と遊技盤１８との間の角度Ａが小さくなり、左に回せば回動部材９０の左回転により揺動部材６４が矢印Ｙ方向に後退移動し、ガイドレール３０と遊技盤１８との間の角度Ａが大きくなる。そして、摘９２を適当な量だけ回動させてから手を離せば、ギヤ面１０４とギヤ面１０８との歯合が復活して、回動部材９０とカバー１０６との回転位置の変動を防止するので、偏心カム１００と揺動部材６４のカム受け面６２との接触位置も保持される。結局、レバー７０は、摘９２の操作によって移動させられた位置に保持されることになる。なお、本実施例の場合、ギヤ面１０４とギヤ面１０８とを１ピッチ分相対回転させると、レバー７０が約０．１ｍｍ移動する設定である。
【００２４】
このように摘９２を操作して、ガイドレール３０の案内面４２と遊技盤１８の表面との角度Ａを鋭角にすると、図５に示されるように遊技球Ｂは、案内面４２と遊技盤１８の表面とで形成される隅に沿って移動し、遊技盤１８の表面から離れない。この結果、遊技球Ｂの経路は安定し、遊技者としては、遊技球Ｂを遊技盤１８上の狙った場所に正確に撃ち込むことが可能になる。また、もし遊技球Ｂが遊技盤１８から離れていても、案内面４２が弧状になっているために作用する遠心力により、上述の隅に落ち込むから、遊技球Ｂが遊技盤１８から離れたままで移動するおそれはない。
【００２５】
しかも、遊技球Ｂが遊技盤の表面から離れないから、遊技球Ｂがガラス板と衝突、接触して騒音を発生することもない。よって、アレンジボール遊技機１２の騒音が低減される。
このように、本実施例のアレンジボール遊技機１２においては、遊技球発射装置２０によって打撃されて、発射レール３４上を走行し、ガイドレール３０の着地部４４に飛来した遊技球は、案内面４２と遊技盤１８の表面とで形成される隅に沿って移動してゆくから、上述の効果を得られる。
【００２６】
なお、角度調節器５０を設置する場所は、もともと使用されていない場所であるから、角度調節器５０の設置によって遊技盤１８の有効面積が削減されるおそれはなく、他の部品の設置位置を移動させる等の操作も必要ない。しかも、アレンジボール遊技機１２の前面側（遊技者側）から角度調節器５０を操作できるから、その操作も簡単である。
【００２８】
【実施例２】
この実施例は、ガイドレールの案内面と遊技盤の表面との角度を小さくする側にだけ有効な角度調節器の例である。なお、弾球遊技機本体やガイドレール等の構成は実施例１と同様であるので、説明を省略する。
【００２９】
図６に示すように、本実施例の角度調節器１２０は、Ｕ字状の固定部材１２２、ボルト１２４、摘１２６等で構成されている。固定部材１２２は２本の木ねじ１２８により遊技盤１８に固定される。ボルト１２４の後端には摘１２６が固着されており、図７（ａ）に拡大図を示すように、ボルト１２４の先端部１３０は、ガイドレール３０に設けられた穴１３２を貫通して案内面４２側に露出している。また、ボルト１２４は、固定部材１２２の立上部１３６に設けられたナット穴１３８に螺合しており、摘１２６を介してボルト１２４を回転させることにより、ボルト１２４を前進、後退させることができる。
【００３０】
この角度調節器１２０では、摘１２６を介してボルト１２４を回転させて前進させれば、ガイドレール３０の上辺がボルト１２４に押されて、ガイドレール３０の案内面４２と遊技盤１８の表面との角度が小さくされる。それによって、実施例１と同様の効果が発揮される。また、ボルト１２４を後退させれば、鋼板製のガイドレール３０は弾性復元するから、遊技盤１８との角度は大きくなる。
【００３１】
なお、ボルト１２４の先端部の形状は、図７（ｂ）、（ｃ）に示されるような形状としてもよい。
この角度調節器１２０では、摘１２６が摘部材に、ボルト１２４が押圧部材に該当し、ナット穴１３８を有する立上部１３６とボルト１２４により運動変換機構が構成されている。
【００３２】
【実施例３】
この実施例は、実施例１と類似しているが、ガイドレールの案内面と遊技盤の表面との角度を小さくする側にだけ有効な角度調節器の例である。なお、構造は、実施例１の角度調節器５０と共通する部分が多いので、共通部分には実施例１と同じ品番を付して説明を省略する。
【００３３】
図８に示すように、この角度調節器１５０においては、実施例１におけるレバー７０に代えて、断面Ｌ字状の押部材１５２が使用されている。この押部材１５２の基端部は、レバー７０と同様に挟持部６８に保持されている。ただし、押部材１５２の押し面１５４は、ガイドレール３０に接しているだけで連結されてはいない。
【００３４】
この角度調節器１５０においては、摘９２を持ってこれを右に回せば回動部材９０の右回転により押部材１５２が矢印Ｘ方向に前進移動し、ガイドレール３０と遊技盤１８との間の角度Ａが小さくなる。また、摘９２を左に回せば回動部材９０の左回転により押部材１５２が後退移動するから、鋼板製のガイドレール３０は弾性復元し、遊技盤１８との角度は大きくなる。そして、摘９２を適当な量だけ回動させてから手を離せば、ギヤ面１０４とギヤ面１０８との歯合が復活して、回動部材９０とカバー１０６との回転位置の変動を防止するので、偏心カム１００と揺動部材６４のカム受け面６２との接触位置も保持される。結局、押部材１５２は、摘９２の操作によって移動させられた位置に保持されることになる。このように摘９２を操作して、ガイドレール３０の案内面４２と遊技盤１８の表面との角度Ａを鋭角にすれば、実施例１、２と同様の効果が得られる。なお、この角度調節器１５０では、押部材１５２が押圧部材に該当している。
【００３５】
以上、３実施例に従って、本発明の実施の形態について説明したが、本発明はこのような実施例に限定されるものではなく、本発明の要旨を逸脱しない範囲でさまざまに実施できることは言うまでもない。
例えば、上記の３つの実施例では、角度調節器を着地部付近にだけ設置しているが、他の場所にも設置してもよい。
【図面の簡単な説明】
【図１】  実施例１のアレンジボール遊技機の概略構造の説明図である。
【図２】  実施例１のアレンジボール遊技機のガイドレールの下端部付近の拡大図である。
【図３】  実施例１の角度調節器の分解斜視図である。
【図４】  実施例１の角度調節器の断面図である。
【図５】  実施例１の角度調節器による効果の説明図である。
【図６】  実施例２の角度調節器の説明図であり、図６（ａ）は側面図、図６（ｂ）は平面図である。
【図７】  実施例２の角度調節器のボルト先端の説明図であり、図７（ａ）は実施例のボルト先端の拡大図、図７（ｂ）および図７（ｃ）は他の形状の例示図である。
【図８】  実施例３の角度調節器の断面図である。
【符号の説明】
１２…アレンジボール遊技機（弾球遊技機）
１４…外枠    １６…前面枠    １８…遊技盤
２０…遊技球発射装置    ２２…受け皿    ２４…ハンドル    ２６…長穴
２８…穴    ３０…ガイドレール    ３２…インナレール    ３３…遊技領域
３４…発射レール    ３５…通路    ３６…球受    ３７…ファール球回収口
３８…打球槌    ３８…発射レール    ４２…案内面    ４４…着地部
５０…角度調節器（レール角度調節手段）    ５２…固定板    ５６…中心軸
５８…ビス受軸    ６２…カム受け面    ６４…揺動部材（運動変換機構）
６６…軸受部    ６８…挟持部    ７０…レバー（可動部材、連結部材）
７２…基端部    ７４…ビス    ７６…先端部（連結部材）    ８０…端
８２…穴    ８４…端    ８６…穴    ９０…回動部材（運動変換機構）
９２…摘（摘部材）    ９４…ビス    ９６…軸    ９８…平行面
１００…偏心カム  １０２…フランジ部  １０４…ギヤ面  １０６…カバー
１０８…ギヤ面
１２０…角度調節器（レール角度調節手段）  １２２…固定部材
１２４…ボルト（押圧部材、運動変換機構）  １２６…摘（摘部材）
１３０…先端部  １３２…穴  １３６…立上部（運動変換機構）
１３８…ナット穴（運動変換機構）
１５０…角度調節器（レール角度調節手段）    １５２…押部材（押圧部材）
【図１】
0003756635.tif 000002
【図２】
0003756635.tif 000003
【図３】
0003756635.tif 000004
【図４】
0003756635.tif 000005
【図５】
0003756635.tif 000006
【図６】
0003756635.tif 000007
【図７】
0003756635.tif 000008
【図８】
0003756635.tif 000009